【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
無認可スペクトルの利用可能性を決定するためにクリアチャネルアセスメント（ＣＣＡ）を実行することと、
前記無認可スペクトルが利用可能であるという決定が行われるとき、前記無認可スペクトルを介してユーザ機器（ＵＥ）のセットに第１の波形を送信することと、
前記第１の波形に応答して、ＵＥの前記セットのうちの１つまたは複数から第２の波形を受信することと、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための方法。
【請求項２】
前記無認可スペクトルを介してＵＥの前記セットのうちの前記１つまたは複数にデータを送信すること
をさらに備える、請求項１に記載の方法。
【請求項３】
前記無認可スペクトルを介してＵＥの前記セットのうちの前記１つまたは複数に同期波形とトレーニング波形との一方または両方を送信すること
をさらに備える、請求項２に記載の方法。
【請求項４】
前記第１の波形が、第１の構成要素と第２の構成要素とを備え、前記第１の構成要素が、ＷｉＦｉ（登録商標）デバイスによって可読であるように構成され、前記第２の構成要素が、セルラーデバイスによって可読であるように構成される、請求項１に記載の方法。
【請求項５】
ワイヤレス通信のための基地局であって、
無認可スペクトルの利用可能性を決定するためにクリアチャネルアセスメント（ＣＣＡ）を実行するための手段と、
前記無認可スペクトルが利用可能であるという決定が行われるとき、前記無認可スペクトルを介してユーザ機器（ＵＥ）のセットに第１の波形を送信するための手段と、
前記第１の波形に応答して、ＵＥの前記セットのうちの１つまたは複数から第２の波形を受信するための手段と、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための基地局。
【請求項６】
前記無認可スペクトルを介してＵＥの前記セットのうちの前記１つまたは複数にデータを送信するための手段
をさらに備える、請求項５に記載の基地局。
【請求項７】
前記無認可スペクトルを介してＵＥの前記セットのうちの前記１つまたは複数に同期波形とトレーニング波形との一方または両方を送信するための手段
をさらに備える、請求項６に記載の基地局。
【請求項８】
前記第１の波形が、第１の構成要素と第２の構成要素とを備え、前記第１の構成要素が、ＷｉＦｉデバイスによって可読であるように構成され、前記第２の構成要素が、セルラーデバイスによって可読であるように構成される、請求項５に記載の基地局。
【請求項９】
ユーザ機器（ＵＥ）におけるワイヤレス通信のための方法であって、
第１の波形を受信することと、
前記第１の波形に応答して、前記ＵＥのための無認可スペクトルの利用可能性を決定するためにクリアチャネルアセスメント（ＣＣＡ）を実行することと、
前記無認可スペクトルが利用可能であるという決定が行われるとき、前記無認可スペクトルを介して第２の波形と第３の波形とを送信することと、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のための方法。
【請求項１０】
第２の波形スロットのセットのうちの１つを識別することと、
前記識別された第２の波形スロット中に前記第２の波形を送信することと
をさらに備える、請求項９に記載の方法。
【請求項１１】
前記識別することが、同じ事業者展開中の別のＵＥによって識別される第２の波形スロットに対して前記第２の波形スロットをジグザグに配置するために、前記第２の波形スロットを識別することを備える、請求項１０に記載の方法。
【請求項１２】
ワイヤレス通信のためのユーザ機器（ＵＥ）であって、
第１の波形を受信するための手段と、
前記第１の波形に応答して、前記ＵＥのための無認可スペクトルの利用可能性を決定するためにクリアチャネルアセスメント（ＣＣＡ）を実行するための手段と、
前記無認可スペクトルが利用可能であるという決定が行われるとき、前記無認可スペクトルを介して第２の波形と第３の波形とを送信するための手段と、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のためのＵＥ。
【請求項１３】
第２の波形スロットのセットのうちの１つを識別するための手段と、
前記識別された第２の波形スロット中に前記第２の波形を送信するための手段と
をさらに備える、請求項１２に記載のＵＥ。
【請求項１４】
第２の波形スロットのセットのうちの１つを識別するための前記手段が、同じ事業者展開中の別のＵＥによって識別される第２の波形スロットに対して前記第２の波形スロットをジグザグに配置するために、前記第２の波形スロットを識別するように構成される、請求項１３に記載のＵＥ。
【請求項１５】
コンピュータ上で動作するとき請求項１から４および９から１１のいずれか一項に従って方法を実行するための命令を備えるコンピュータプログラム。
【手続補正２】
【補正対象書類名】明細書
【補正対象項目名】０２２０
【補正方法】変更
【補正の内容】
【０２２０】
[0240]本開示のこれまでの説明は、当業者が本開示を作成または使用することを可能にするために提供される。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信のための方法であって、
無認可スペクトルの利用可能性を決定するために基地局においてクリアチャネルアセスメント（ＣＣＡ）を実行することと、
前記無認可スペクトルが利用可能であるという決定が行われたとき、前記無認可スペクトルを介してユーザ機器（ＵＥ）のセットに第１の波形を送信することと、
前記第１の波形に応答して、ＵＥの前記セットのうちの１つまたは複数から第２の波形を受信することと、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための方法。
［Ｃ２］
前記無認可スペクトルを介してＵＥの前記セットのうちの前記１つまたは複数にデータを送信すること
をさらに備える、Ｃ１に記載の方法。
［Ｃ３］
前記無認可スペクトルを介してＵＥの前記セットのうちの前記１つまたは複数に同期波形とトレーニング波形との一方または両方を送信すること
をさらに備える、Ｃ２に記載の方法。
［Ｃ４］
前記第１の波形が、第１の構成要素と第２の構成要素とを備える、前記第１の構成要素が、ＷｉＦｉ（登録商標）デバイスによって可読であるように構成され、前記第２の構成要素が、セルラーデバイスによって可読であるように構成される、Ｃ１に記載の方法。
［Ｃ５］
前記セルラーデバイスが、無認可スペクトルで動作するＬＴＥデバイスを備える、Ｃ４に記載の方法。
［Ｃ６］
前記第１の波形の同じ第１の構成要素が、事業者展開中の各基地局によって使用される、Ｃ４に記載の方法。
［Ｃ７］
前記第１の波形の異なる第２の構成要素が、事業者展開中の各基地局によって使用される、Ｃ４に記載の方法。
［Ｃ８］
前記第１の波形の前記第１の構成要素が、物理レイヤ収束プロシージャ（ＰＬＣＰ）ヘッダとＷｉＦｉ可読データフィールドとを備える、Ｃ４に記載の方法。
［Ｃ９］
前記第１の波形は、前記基地局が認可スペクトルを介したチャネルアクセスを有する第１の時間期間と第２の時間期間とを示すように構成される、Ｃ１に記載の方法。
［Ｃ１０］
ＣＣＡを実行することが、サブフレーム中に前記ＣＣＡを実行することを備える、
前記第１の時間期間は、前記基地局が、前記サブフレームの終了まで、または次のサブフレーム中のある時間まで、前記無認可スペクトルを介したチャネルアクセスを有することを示す、
前記第２の時間期間は、前記基地局が、前記サブフレームの後、または次のサブフレーム中のある時間の後の指定された時間期間の間、前記無認可スペクトルを介したチャネルアクセスを有することを示す、
Ｃ９に記載の方法。
［Ｃ１１］
ワイヤレス通信のための基地局であって、
無認可スペクトルの利用可能性を決定するためにクリアチャネルアセスメント（ＣＣＡ）を実行するための手段と、
前記無認可スペクトルが利用可能であるという決定が行われたとき、前記無認可スペクトルを介してユーザ機器（ＵＥ）のセットに第１の波形を送信するための手段と、
前記第１の波形に応答して、ＵＥの前記セットのうちの１つまたは複数から第２の波形を受信するための手段と、各第２の波形が、前記無認可スペクトルを介して受信され、前記基地局からデータを受信するために前記それぞれのＵＥが前記無認可スペクトルを介したチャネルアクセスを有することを示すように構成される、
を備える、ワイヤレス通信のための基地局。
［Ｃ１２］
前記無認可スペクトルを介してＵＥの前記セットのうちの前記１つまたは複数にデータを送信するための手段
をさらに備える、Ｃ１１に記載の基地局。
［Ｃ１３］
前記無認可スペクトルを介してＵＥの前記セットのうちの前記１つまたは複数に同期波形とトレーニング波形との一方または両方を送信するための手段
をさらに備える、Ｃ１２に記載の基地局。
［Ｃ１４］
前記第１の波形が、第１の構成要素と第２の構成要素とを備える、前記第１の構成要素が、ＷｉＦｉデバイスによって可読であるように構成され、前記第２の構成要素が、セルラーデバイスによって可読であるように構成される、Ｃ１１に記載の基地局。
［Ｃ１５］
前記セルラーデバイスが、無認可スペクトルで動作するＬＴＥデバイスを備える、Ｃ１４に記載の基地局。
［Ｃ１６］
前記第１の波形の同じ第１の構成要素が、事業者展開中の各基地局によって使用される、Ｃ１４に記載の基地局。
［Ｃ１７］
前記第１の波形の異なる第２の構成要素が、事業者展開中の各基地局によって使用される、Ｃ１４に記載の基地局。
［Ｃ１８］
前記第１の波形の前記第１の構成要素が、物理レイヤ収束プロシージャ（ＰＬＣＰ）ヘッダとＷｉＦｉ可読データフィールドとを備える、Ｃ１４に記載の基地局。
［Ｃ１９］
前記第１の波形は、前記基地局が認可スペクトルを介したチャネルアクセスを有する第１の時間期間と第２の時間期間とを示すように構成される、Ｃ１１に記載の基地局。
［Ｃ２０］
前記ＣＣＡがサブフレーム中に実行される、
前記第１の時間期間は、前記基地局が、前記サブフレームの終了まで、または次のサブフレーム中のある時間まで、前記無認可スペクトルを介したチャネルアクセスを有することを示す、
前記第２の時間期間は、前記基地局が、前記サブフレームの後、または次のサブフレーム中のある時間の後の指定された時間期間の間、前記無認可スペクトルを介したチャネルアクセスを有することを示す、
Ｃ１９に記載の基地局。
［Ｃ２１］
ワイヤレス通信のための方法であって、
ユーザ機器（ＵＥ）において第１の波形を受信することと、
前記第１の波形に応答して、前記ＵＥのための無認可スペクトルの利用可能性を決定するためにクリアチャネルアセスメント（ＣＣＡ）を実行することと、
前記無認可スペクトルが利用可能であるという決定が行われたとき、前記無認可スペクトルを介して第２の波形と第３の波形とを送信することと、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のための方法。
［Ｃ２２］
第２の波形スロットのセットのうちの１つを識別することと、
前記識別された第２の波形スロット中に前記第２の波形を送信することと
をさらに備える、Ｃ２１に記載の方法。
［Ｃ２３］
前記識別することが、同じ事業者展開中の別のＵＥによって識別される第２の波形スロットに対して前記第２の波形スロットをジグザグに配置するために、前記第２の波形スロットを識別することを備える、Ｃ２２に記載の方法。
［Ｃ２４］
前記第１の波形が、第１の構成要素と第２の構成要素とを備える、前記第１の構成要素が、ＷｉＦｉネットワークにワイヤレスに接続することが可能なデバイスによって可読であるように構成され、前記第２の構成要素が、セルラーデバイスによって可読であるように構成される、Ｃ２１に記載の方法。
［Ｃ２５］
前記第３の波形を送信することが、チャネル推定とチャネル同期との一方または両方のための基準シンボルを送信することを備える、Ｃ２１に記載の方法。
［Ｃ２６］
ワイヤレス通信のためのユーザ機器（ＵＥ）であって、
第１の波形を受信するための手段と、
前記第１の波形に応答して、前記ＵＥのための無認可スペクトルの利用可能性を決定するためにクリアチャネルアセスメント（ＣＣＡ）を実行するための手段と、
前記無認可スペクトルが利用可能であるという決定が行われたとき、前記無認可スペクトルを介して第２の波形と第３の波形とを送信するための手段と、前記第２の波形は、近くのＷｉＦｉデバイスに、基地局が前記無認可スペクトルを介したチャネルアクセスを有することを示すように構成され、前記第３の波形が、前記ＵＥへのデータ送信のために前記基地局に情報を与えるように構成される、
を備える、ワイヤレス通信のためのユーザ機器（ＵＥ）。
［Ｃ２７］
第２の波形スロットのセットのうちの１つを識別するための手段と、
前記識別された第２の波形スロット中に前記第２の波形を送信するための手段と
をさらに備える、Ｃ２６に記載のＵＥ。
［Ｃ２８］
第２の波形スロットのセットのうちの１つを識別するための前記手段が、同じ事業者展開中の別のＵＥによって識別される第２の波形スロットに対して前記第２の波形スロットをジグザグに配置するために、前記第２の波形スロットを識別するように構成される、Ｃ２７に記載のＵＥ。
［Ｃ２９］
前記第１の波形が、第１の構成要素と第２の構成要素とを備える、前記第１の構成要素が、ＷｉＦｉネットワークにワイヤレスに接続することが可能なデバイスによって可読であるように構成され、前記第２の構成要素が、セルラーデバイスによって可読であるように構成される、Ｃ２６に記載のＵＥ。
［Ｃ３０］
前記第３の波形を送信するための手段が、チャネル推定とチャネル同期との一方または両方のための基準シンボルを送信するように構成される、Ｃ２６に記載のＵＥ。